(57)【要約】【課題】消費電力を抑えることができる信号出力回路、係る信号出力回路を備えた表示装置を提供する。【解決手段】表示装置は、電流駆動型の発光部を有する表示素子が２次元マトリクス状に配列されて成る表示領域を有し映像信号に基づいて表示領域に画像を表示する表示部、及び、表示素子毎または表示部における所定の領域毎の映像信号の値と表示素子の輝度の経時変化特性とに基づいて経時変化の小さい表示素子に対しては経時変化を加速させ経時変化の大きい表示素子に対しては経時変化を減速または停止するような補正信号を生成する補正信号生成部を備えており、映像信号に基づいて通常の画像を表示した後の表示装置の非使用時において補正信号に基づく補正画像を表示することによって各表示素子の経時変化の程度を揃える動作を行う。【選択図】  図１
2014240913.tif 000002
【特許請求の範囲】
【請求項１】
電流駆動型の発光部を有する表示素子が２次元マトリクス状に配列されて成る表示領域を有し映像信号に基づいて表示領域に画像を表示する表示部、及び、
表示素子毎または表示部における所定の領域毎の映像信号の値と表示素子の輝度の経時変化特性とに基づいて経時変化の小さい表示素子に対しては経時変化を加速させ経時変化の大きい表示素子に対しては経時変化を減速または停止するような補正信号を生成する補正信号生成部、
を備えており、
映像信号に基づいて通常の画像を表示した後の表示装置の非使用時において補正信号に基づく補正画像を表示することによって各表示素子の経時変化の程度を揃える動作を行う表示装置。
【請求項２】
補正信号に基づく補正画像を表示する期間の長さは、所定の長さに固定されている請求項１に記載の表示装置。
【請求項３】
補正信号に基づく補正画像を表示する期間の長さは、補正信号に基づく補正画像を表示する直前における映像信号に基づいて通常の画像を表示した期間の長さに基づいて設定される請求項１に記載の表示装置。
【請求項４】
表示領域には異なる色で発光する表示素子から成る組が２次元マトリクス状に配列されており、補正信号生成部は各色毎に対応した補正信号を生成する請求項１に記載の表示装置。
【請求項５】
表示領域には異なる色で発光する表示素子から成る組が２次元マトリクス状に配列されており、補正信号生成部は各色に共通する補正信号を生成する請求項１に記載の表示装置。
【請求項６】
補正画像は表示領域の全面に表示される請求項１に記載の表示装置。
【請求項７】
補正画像は表示領域の所定の部分に限定して表示される請求項１に記載の表示装置。
【請求項８】
補正画像は劣化の程度の差が大きい表示領域の部分に表示される請求項７に記載の表示装置。
【請求項９】
補正画像は静止画または動画として表示される請求項１に記載の表示装置。
【請求項１０】
電流駆動型の発光部を有する表示素子が２次元マトリクス状に配列されて成る表示領域を有し映像信号に基づいて表示領域に画像を表示する表示部、及び、
表示素子毎または表示部における所定の領域毎の映像信号の値と表示素子の輝度の経時変化特性とに基づいて経時変化の小さい表示素子に対しては経時変化を加速させ経時変化の大きい表示素子に対しては経時変化を減速または停止するような補正信号を生成する補正信号生成部、
を備えた表示装置を用いて、
映像信号に基づいて通常の画像を表示した後の表示装置の非使用時において補正信号に基づく補正画像を表示することによって各表示素子の経時変化の程度を揃える動作を行う表示装置の駆動方法。
【発明の詳細な説明】
【技術分野】
【０００１】
本開示は、表示装置および表示装置の駆動方法に関する。
【背景技術】
【０００２】
発光部を備えた表示素子、及び、係る表示素子を備えた表示装置が周知である。例えば、有機材料のエレクトロルミネッセンス（Electroluminescence：以下、ＥＬと略称する場合がある）を利用した有機エレクトロルミネッセンス発光部を備えた表示素子（以下、単に、有機ＥＬ表示素子と略称する場合がある）は、低電圧直流駆動による高輝度発光が可能な表示素子として注目されている。
【０００３】
一般に、表示装置は、動作時間が長くなればなるほど、輝度が低下する。有機ＥＬ表示素子を用いた表示装置においても、発光部の発光効率の経時変化等により輝度の低下が観察される。従って、表示装置にあっては、同一のパターンを長時間表示させると、そのパターンに応じた輝度変化が観察されるといった所謂焼き付きが起こる場合がある。焼き付きが起こると、表示装置の表示品質は低下する。
【０００４】
このため、表示素子の発光特性の変化を揃えるための補正信号を作成し、表示装置の非使用状態において補正信号に基づいて発光素子を発光させることによって焼き付きの問題を解消するといったことが提案されている。例えば、特開２００３−２２８３２９公報（特許文献１）において、入力映像信号の画素毎の積算値の最大値と最小値とに基づいて補正信号を算出することが提案されている。
【先行技術文献】
【特許文献】
【０００５】
【特許文献１】特開２００３−２２８３２９公報
【発明の概要】
【発明が解決しようとする課題】
【０００６】
入力映像信号の画素毎の積算値の最大値と最小値とに基づいて補正信号を算出するといった構成においては、表示素子の劣化特性を考慮することなく補正信号の値が算出される。従って、表示素子の発光特性の変化を揃えるといった観点からは、補正信号の精度は必ずしも充分であるとはいえず、表示品質の改善効果が不充分となることが考えられる。
【０００７】
従って、本開示の目的は、表示素子の発光特性の変化を精度よく揃えることができる表示装置および表示装置の駆動方法を提供することにある。
【課題を解決するための手段】
【０００８】
上記の目的を達成するための本開示の表示装置は、
電流駆動型の発光部を有する表示素子が２次元マトリクス状に配列されて成る表示領域を有し映像信号に基づいて表示領域に画像を表示する表示部、及び、
表示素子毎または表示部における所定の領域毎の映像信号の値と表示素子の輝度の経時変化特性とに基づいて経時変化の小さい表示素子に対しては経時変化を加速させ経時変化の大きい表示素子に対しては経時変化を減速または停止するような補正信号を生成する補正信号生成部、
を備えており、
映像信号に基づいて通常の画像を表示した後の表示装置の非使用時において補正信号に基づく補正画像を表示することによって各表示素子の経時変化の程度を揃える動作を行う表示装置である。
【０００９】
上記の目的を達成するための本開示の表示装置の駆動方法は、
電流駆動型の発光部を有する表示素子が２次元マトリクス状に配列されて成る表示領域を有し映像信号に基づいて表示領域に画像を表示する表示部、及び、
表示素子毎または表示部における所定の領域毎の映像信号の値と表示素子の輝度の経時変化特性とに基づいて経時変化の小さい表示素子に対しては経時変化を加速させ経時変化の大きい表示素子に対しては経時変化を減速または停止するような補正信号を生成する補正信号生成部、
を備えた表示装置を用いて、
映像信号に基づいて通常の画像を表示した後の表示装置の非使用時において補正信号に基づく補正画像を表示することによって各表示素子の経時変化の程度を揃える動作を行う表示装置の駆動方法である。
【発明の効果】
【００１０】
本開示に係る表示装置および表示装置の駆動方法によれば、表示素子毎または表示部における所定の領域毎の映像信号の値と表示素子の輝度の経時変化特性とに基づいて経時変化の小さい表示素子に対しては経時変化を加速させ経時変化の大きい表示素子に対しては経時変化を減速または停止するような補正信号を用いて各表示素子の経時変化の程度を揃える動作を行うので、表示素子の発光特性の変化を精度よく揃えることができる。
【図面の簡単な説明】
【００１１】
【図１】図１は、第１の実施形態に係る表示装置の概念図である。
【図２】図２は、表示部の構成を説明するための模式図である。
【図３】図３は、種々の階調値の映像信号に基づいて表示素子を動作させたときの累積動作時間と、表示素子の発光効率の変化との関係を説明するための模式的なグラフである。
【図４】図４は、映像信号の階調値を変えながら表示素子を動作させたときの、動作時間と経時変化による表示素子の相対的な輝度変化との関係を説明するための模式的なグラフである。
【図５】図５は、図４において符号ＣＬ1，ＣＬ2，ＣＬ3，ＣＬ4，ＣＬ5，ＣＬ6で表したグラフの部分と、図３に示すグラフとの対応関係を説明するための模式的な図である。
【図６】図６Ａは、表示装置の表示領域の中央部と周囲部とを異なる階調で表示するテストパターンを表示した状態を模式的に示す図である。図６Ｂは、図６Ａに示す表示による焼き付きを補正するための補正信号に基づいて表示される画像を模式的に示す図である。
【図７】図７は、表示領域の中央部に含まれるＡ点に対応する表示素子と、表示領域の周囲部に含まれるＢ点に対応する表示素子とにおける、発光特性の経時変化を説明するための模式的なグラフである。
【図８】図８Ａは、オンスクリーンディスプレイ表示が重畳されたグラデーション画像の表示状態を示す模式図である。図８Ｂは、図８Ａに示す表示による焼き付きを補正するための補正信号に基づいて表示される画像を模式的に示す図である。
【図９】図９Ａは、オンスクリーンディスプレイ表示が重畳されたグレーラスター画像の表示状態を示す模式図である。図９Ｂは、図９Ａに示す表示による焼き付きを補正するための補正信号に基づいて表示される画像を模式的に示す図である。
【図１０】図１０Ａは、オンスクリーンディスプレイ表示が重畳されたグレーラスター画像の表示状態を示す模式図である。図１０Ｂは、図１０Ａに示す表示による焼き付きを補正するための補正信号に基づいて表示される画像を模式的に示す図である。
【図１１】図１１Ａは、オンスクリーンディスプレイ表示が重畳されたグレーラスター画像の表示状態を示す模式図である。図１１Ｂは、図１１Ａに示す表示による焼き付きを補正するための補正信号に基づいて表示される画像を模式的に示す図である。
【図１２】図１２Ａは、黒帯に白色のオンスクリーンディスプレイ表示が重畳されたグレーラスター画像の表示状態を示す模式図である。図１２Ｂは、図１２Ａに示す表示による焼き付きを補正するための補正信号に基づいて表示される画像を模式的に示す図である。
【図１３】図１３は、第１の変形例に係る表示装置の概念図である。
【図１４】図１４は、第２の変形例に係る表示装置の概念図である。
【図１５】図１５は、表示部の変形例の構成を説明するための模式図である。
【発明を実施するための形態】
【００１２】
以下、図面を参照して、実施形態に基づいて本開示を説明する。本開示は実施形態に限定されるものではなく、実施形態における種々の数値や材料は例示である。以下の説明において、同一要素または同一機能を有する要素には同一符号を用いることとし、重複する説明は省略する。尚、説明は、以下の順序で行う。
１．本開示に係る表示装置および表示装置の駆動方法、全般に関する説明
２．第１の実施形態
３．変形例の実施形態、その他
【００１３】
［本開示に係る表示装置および表示装置の駆動方法、全般に関する説明］
本開示の表示装置あるいは本開示の表示装置の駆動方法（以下、これらを単に、本開示と呼ぶ場合がある）にあっては、補正信号に基づく補正画像を表示する期間の長さは、所定の長さに固定されている構成とすることができる。あるいは又、補正信号に基づく補正画像を表示する期間の長さは、補正信号に基づく補正画像を表示する直前における映像信号に基づいて通常の画像を表示した期間の長さに基づいて設定される構成とすることもできる。
【００１４】
上述した各種の好ましい構成を含む本開示にあっては、表示領域には異なる色で発光する表示素子から成る組が２次元マトリクス状に配列されており、補正信号生成部は各色毎に対応した補正信号を生成する構成とすることができる。この構成によれば、各色の表示素子に適した補正信号を用いて表示素子の経時変化の程度を揃える動作を行うので、発光色の差に伴う表示素子の特性差を勘案した補正を行うことができる。あるいは又、表示領域には異なる色で発光する表示素子から成る組が２次元マトリクス状に配列されており、補正信号生成部は各色に共通する補正信号を生成する構成とすることができる。例えば、赤色、緑色および青色の表示素子の組を備えるといった構成の場合、視認度の高い緑色の表示素子についての補正信号を共通の補正信号として用いるといった構成とすることができる。この構成は、補正信号を生成する回路の規模などを小さくすることができるといった利点を備えている。
【００１５】
上述した各種の好ましい構成を含む本開示にあっては、補正画像は表示領域の全面に表示される構成とすることができる。あるいは又、補正画像は表示領域の所定の部分に限定して表示される構成とすることができる。この場合において、補正画像は劣化の程度の差が大きい表示領域の部分に表示される構成とすることができる。補正画像が表示領域の全面に表示される構成に対して、補正画像が表示領域の所定の部分に限定して表示される構成は、補正画像を表示する際の表示装置の消費電力を抑えることができるといった利点を備えている。
【００１６】
上述した各種の好ましい構成を含む本開示にあっては、補正画像は静止画または動画として表示される構成とすることができる。例えば、スクリーンセーバーとしての動画の画像信号に補正に必要な信号を重畳した信号を補正信号として用いるといった構成とすることができる。
【００１７】
本開示は、例えば、電子ビューファインダやヘッドマウントディスプレイに用いられるマイクロディスプレイなどに適用することができる。例えば、電子ビューファインダを装着したカメラ等にあっては、撮影時には通常の画像表示状態とし、撮影が中断しているときに補正画像の表示を行うといった動作をさせることで、使用者が違和感を感ずることなく補正を行うことができる。ヘッドマウントディスプレイにあっては、装着状態にあっては通常の画像表示状態とし、非装着状態にあるときに補正画像の表示を行うといった動作をさせればよい。尚、これらの機器がバッテリー駆動されるものであるときには、充電中は一般には非使用状態であることが多いので、外部からの給電による充電中に補正画像の表示を行うといった構成とすることもできる。この構成によれば、補正画像の表示は外部からの給電により行うことができるので、充分に時間をかけた補正を行うことができるといった利点を備えている。
【００１８】
本開示の表示装置を構成する補正信号生成部は、例えば、記憶装置や論理回路から構成することができる。これらは、周知の回路素子等を用いて構成することができる。表示部を駆動するために用いられる各種の回路についても同様である。集積半導体装置にこれらの機能が実装される構成であってもよい。
【００１９】
表示装置は、所謂モノクロ表示の構成であってもよいし、カラー表示の構成であってもよい。カラー表示の構成とする場合には、１つの画素は複数の副画素から成る構成、具体的には、１つの画素は、赤色発光副画素、緑色発光副画素、及び、青色発光副画素の３つの副画素から成る構成とすることができる。更には、これらの３種の副画素に更に１種類あるいは複数種類の副画素を加えた１組（例えば、輝度向上のために白色光を発光する副画素を加えた１組、色再現範囲を拡大するために補色を発光する副画素を加えた１組、色再現範囲を拡大するためにイエローを発光する副画素を加えた１組、色再現範囲を拡大するためにイエロー及びシアンを発光する副画素を加えた１組）から構成することもできる。
【００２０】
表示装置の画素（ピクセル）の値として、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【００２１】
表示素子を構成する電流駆動型の発光部として、有機エレクトロルミネッセンス発光部、ＬＥＤ発光部、半導体レーザ発光部などを挙げることができる。これらの発光部は、周知の材料や方法を用いて構成することができる。平面型の表示装置を構成する観点からは、中でも、発光部は有機エレクトロルミネッセンス発光部から成る構成が好ましい。
【００２２】
表示部を構成する表示素子は、或る平面内に形成され（例えば、支持体上に形成され）ており、発光部は、例えば、層間絶縁層を介して、発光部を駆動する駆動回路の上方に形成されている。
【００２３】
発光部を駆動する駆動回路は、例えば、トランジスタや容量部から成る回路として構成することができる。駆動回路を構成するトランジスタとして、例えば、薄膜トランジスタ（ＴＦＴ）を挙げることができる。本開示の動作に適合する限り、駆動回路の構成は特に限定するものではない。
【００２４】
１つのトランジスタの有する２つのソース／ドレイン領域において、「一方のソース／ドレイン領域」という用語を、電源側に接続されたソース／ドレイン領域といった意味において使用する場合がある。また、トランジスタが導通状態にあるとは、ソース／ドレイン領域間にチャネルが形成されている状態を意味する。係るトランジスタの一方のソース／ドレイン領域から他方のソース／ドレイン領域に電流が流れているか否かは問わない。一方、トランジスタが非導通状態にあるとは、ソース／ドレイン領域間にチャネルが形成されていない状態を意味する。また、ソース／ドレイン領域は、不純物を含有したポリシリコンやアモルファスシリコン等の導電性物質から構成することができるだけでなく、金属、合金、導電性粒子、これらの積層構造、有機材料（導電性高分子）から成る層から構成することができる。
【００２５】
駆動回路を構成する容量部は、一方の電極、他方の電極、及び、これらの電極に挟まれた誘電体層から構成することができる。駆動回路を構成する上述したトランジスタ及び容量部は、或る平面内に形成され（例えば、支持体上に形成され）、発光部は、例えば、層間絶縁層を介して、駆動回路を構成するトランジスタ及び容量部の上方に形成されている。また、駆動トランジスタの他方のソース／ドレイン領域は、発光部の一端（発光部に備えられたアノード電極等）に、例えば、コンタクトホールを介して接続されている。尚、半導体基板等にトランジスタを形成した構成であってもよい。
【００２６】
表示素子に接続される走査線ＷＳＬやデータ線などといった各種の配線は、或る平面上（例えば、支持体上）に形成される。これらの配線は、周知の構成や構造とすることができる。
【００２７】
支持体や後述する基板の構成材料として、高歪点ガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）等のガラス材料の他、可撓性を有する高分子材料、例えば、ポリエーテルスルホン（ＰＥＳ）やポリイミド、ポリカーボネート（ＰＣ）、ポリエチレンテレフタレート（ＰＥＴ）に例示される高分子材料を例示することができる。尚、支持体や基板の表面に各種のコーティングが施されていてもよい。支持体と基板の構成材料は、同じであってもよいし異なっていてもよい。可撓性を有する高分子材料から成る支持体および基板を用いれば、可撓性を有する表示装置を構成することができる。
【００２８】
本明細書における各種の式に示す条件は、式が数学的に厳密に成立する場合の他、式が実質的に成立する場合にも満たされる。式の成立に関し、表示素子や表示装置の設計上あるいは製造上生ずる種々のばらつきの存在は許容される。
【００２９】
以下の説明で用いるグラフなどにあっては、横軸や縦軸の長さは模式的なものであって、長さに応じた割合を示すといったものではない。また、グラフなどにおける波形の形状も模式的なものである。
【００３０】
［第１の実施形態］
第１の実施形態は、本開示に係る表示装置および表示装置の駆動方法ならびに信号出力回路に関する。
【００３１】
図１は、第１の実施形態に係る表示装置の概念図である。
【００３２】
表示装置１は、例えば、ビデオカメラ用の電子ビューファインダを構成する表示装置である。
【００３３】
表示装置１は、
電流駆動型の発光部を有する表示素子が２次元マトリクス状に配列されて成る表示領域を有し映像信号に基づいて表示領域に画像を表示する表示部１０、及び、
表示素子毎または表示部１０における所定の領域毎の映像信号の値と表示素子の輝度の経時変化特性とに基づいて経時変化の小さい表示素子に対しては経時変化を加速させ経時変化の大きい表示素子に対しては経時変化を減速または停止するような補正信号を生成する補正信号生成部、
を備えている。補正信号生成部は、劣化量算出部４０、劣化量蓄積部５０および補正値計算部６０から構成されている。
【００３４】
また、表示装置１は、更に、表示部１０の付近に設置されたセンサ部２０と、センサ部２０からの信号に基づいて表示部１０に送る信号を、後述する映像信号ＶＤSig／補正信号ＶＣSigのいずれかに切り換える切替制御部３０を備えている。センサ部２０はいわゆる人感センサであって、周知のセンサを用いることができる。センサ部２０からの信号に基づいて、使用者が電子ビューファインダを覗いているといった状態では、表示部１０に映像信号ＶＤSigが送られ、使用者が電子ビューファインダを覗いていないといった状態では、表示部１０に補正信号ＶＣSigが送られる。図示せぬ制御回路などによって、表示装置１の全体の制御が行われる。
【００３５】
補正信号生成部の構成について概要を説明する。劣化量算出部４０には、例えば、図示せぬカメラ部から送られる映像信号ＶＤSigと、後述する補正信号ＶＣSigとが入力される。劣化量算出部４０は、表示素子を駆動する際の信号の階調値や表示素子の駆動時間などに基づいて、予め格納された特性カーブを参照し、表示素子の劣化量を算出する。そして、劣化量蓄積部５０は、劣化量算出部４０によって算出された劣化量を蓄積し、累積した劣化量の値を格納する。以上の動作は、表示素子毎または表示部１０における所定の領域毎に行う構成とすることができる。説明の都合上、以下の説明にあっては、表示素子毎に所定の動作が行われるものとする。補正値計算部６０は、劣化量蓄積部５０に格納された値などに基づいて、経時変化の小さい表示素子に対しては経時変化を加速させ経時変化の大きい表示素子に対しては経時変化を減速または停止するような補正信号を生成する。
【００３６】
動作説明の都合上、先ず、表示部１０について説明する。補正信号生成部の構成については後述する。
【００３７】
図２は、表示部の構成を説明するための模式図である。
【００３８】
表示部１０は、電流駆動型の発光部ＥＬＰと発光部ＥＬＰを駆動する駆動回路とを含む表示素子１１１が、行方向（図１においてＸ方向）に延びる走査線ＷＳＬおよび給電線ＤＳＬと、列方向（図１においてＹ方向）に延びるデータ線とに接続された状態で２次元マトリクス状に配列されて成る表示領域１１０を有する。また、表示部１０は、走査線ＷＳＬに走査信号を供給する走査部１１２、データ線に電圧を印加するデータドライバ１１３、表示素子１１１を駆動する電圧を給電線ＤＳＬに供給する電源部１１４を有する。表示素子１１１を構成する発光部ＥＬＰは、例えば有機エレクトロルミネッセンス発光部から成る。尚、図示の都合上、図１においては、１つの表示素子、より具体的には、後述する第（ｎ，ｍ）番目の表示素子１１１についての結線関係を示した。
【００３９】
図２では図示されていないが、表示部１０が画像を表示する領域（表示領域１１０）は、行方向にＮ個、列方向にＭ個、合計Ｎ×Ｍ個の、２次元マトリクス状に配列された表示素子１１１から構成されている。表示領域１１０における表示素子１１１の行数はＭであり、各行を構成する表示素子１１１の数はＮである。
【００４０】
また、走査線ＷＳＬおよび給電線ＤＳＬの本数はそれぞれＭ本である。第ｍ行目（但し、ｍ＝１，２・・・，Ｍ）の表示素子１１１は、第ｍ番目の走査線ＷＳＬm及び第ｍ番目の給電線ＤＳＬmに接続されており、１つの表示素子行を構成する。尚、図１では、走査線ＷＳＬm及び給電線ＤＳＬmのみが示されている。
【００４１】
また、データ線ＤＴＬの本数はＮ本である。第ｎ列目（但し、ｎ＝１，２・・・，Ｎ）の表示素子１１１は、第ｎ番目のデータ線ＤＴＬnに接続されている。尚、図１では、データ線ＤＴＬnのみが示されている。
【００４２】
表示装置１にあっては、例えば、赤色、緑色および青色といった異なる色で発光する表示素子から成る組が１つの画素を構成する。走査部１１２からの走査信号によって、表示装置１は行単位で線順次走査される。第ｍ行、第ｎ列目に位置する表示素子１１１を、以下、第（ｎ，ｍ）番目の表示素子あるいは第（ｎ，ｍ）番目の画素と呼ぶ。同一行において隣接して並ぶ赤色、緑色および青色で発光する表示素子１１１から成る組が画素を構成するとすれば、表示領域１１０の画素数は、（Ｎ／３）×Ｍである。
【００４３】
表示装置１にあっては、第ｍ行目に配列されたＮ個の画素のそれぞれを構成する表示素子１１１が同時に駆動される。換言すれば、行方向に沿って配されたＮ個の表示素子１１１にあっては、その発光／非発光のタイミングは、それらが属する行単位で制御される。表示装置１の表示フレームレートをＦＲ（回／秒）と表せば、表示装置１を行単位で線順次走査するときの１行当たりの走査期間（いわゆる水平走査期間）は、（１／ＦＲ）×（１／Ｍ）秒未満である。
【００４４】
表示装置１のデータドライバ１１３には、例えば撮像された映像信号ＶＤSigと、後述する補正信号ＶＣSigが入力される。映像信号ＶＤSig及び補正信号ＶＣSigのうち、第（ｎ，ｍ）番目の表示素子１１１に対応する信号を、映像信号ＶＤSig(n,m)及び補正信号ＶＤSig(n,m)と表す場合がある。
【００４５】
説明の都合上、映像信号ＶＤSig及び補正信号ＶＣSigの階調ビット数は９ビットであるとする。階調値は、０ないし５１１のいずれかの値となり、階調値が大きいほど表示される画像の輝度が高いものとする。尚、上述の階調ビット数は例示に過ぎない。例えば、４ビット、８ビット、１２ビット、１６ビットおよび２４ビットなどといった構成であってもよい。
【００４６】
表示素子１１１は、電流駆動型の発光部ＥＬＰ、書込みトランジスタＴＲW、駆動トランジスタＴＲD、及び、容量部Ｃ1を少なくとも備えており、駆動トランジスタＴＲDのソース／ドレイン領域を介して発光部ＥＬＰに電流が流れると発光する。
【００４７】
容量部Ｃ1は、駆動トランジスタＴＲDのソース領域に対するゲート電極の電圧（所謂ゲート−ソース間電圧）を保持するために用いられる。表示素子１１１の発光状態においては、駆動トランジスタＴＲDの一方のソース／ドレイン領域（図２において給電線ＤＳＬに接続されている側）はドレイン領域として働き、他方のソース／ドレイン領域（発光部ＥＬＰの一端、具体的には、アノード電極に接続されている側）はソース領域として働く。容量部Ｃ1を構成する一方の電極と他方の電極は、それぞれ、駆動トランジスタＴＲDの他方のソース／ドレイン領域とゲート電極に接続されている。
【００４８】
書込みトランジスタＴＲWは、走査線ＷＳＬに接続されたゲート電極と、データ線ＤＴＬに接続された一方のソース／ドレイン領域と、駆動トランジスタＴＲDのゲート電極に接続された他方のソース／ドレイン領域とを有する。
【００４９】
駆動トランジスタＴＲDのゲート電極は、書込みトランジスタＴＲWの他方のソース／ドレイン領域と容量部Ｃ1の他方の電極とに接続されており、駆動トランジスタＴＲDの他方のソース／ドレイン領域は、容量部Ｃ1の一方の電極と発光部ＥＬＰのアノード電極とに接続されている。
【００５０】
発光部ＥＬＰの他端（具体的には、カソード電極）には、例えば接地電圧といった共通の電圧ＶCatが印加される。また、発光部ＥＬＰの容量を符号ＣELで表す。
【００５１】
データドライバ１１３は階調値に応じた電圧を生成してデータ線ＤＴＬに供給する。階調値に応じた電圧がデータ線ＤＴＬに供給された状態で走査部１１２からの走査信号により書込みトランジスタＴＲWが導通状態とされると、容量部Ｃ1に階調値に応じた電圧が書き込まれる。書込みトランジスタＴＲWが非導通状態とされた後、容量部Ｃ1に保持された電圧に応じて駆動トランジスタＴＲDに電流が流れ、発光部ＥＬＰが発光する。
【００５２】
次いで、表示素子の輝度の経時変化について説明する。
【００５３】
図３は、種々の階調値の映像信号に基づいて表示素子１１１を動作させたときの累積動作時間と、表示素子１１１の発光効率の変化との関係を説明するための模式的なグラフである。
【００５４】
図３のグラフについて具体的に説明する。初期状態の表示装置１を用いて、表示領域１１０に含まれる第１番目乃至第６番目の領域を、それぞれ、階調値５０，１００，２００，３００，４００，５００の映像信号ＶＤSigに基づいて動作させ、累積動作時間の長さと、第１番目乃至第６番目の各領域を構成する表示素子１１１における初期状態の輝度に対する経時変化後の輝度の比とを測定した。そして、累積動作時間の長さを横軸の値とし、区分した各領域における表示素子１１１について、初期状態の輝度に対する経時変化後の輝度の比を縦軸の値としてプロットした。
【００５５】
図３に示すグラフの縦軸の値は、初期状態を「１」として正規化した発光効率の値に該当する。グラフから明らかなように、映像信号ＶＤSigの階調値が大きいほど、初期状態の輝度に対する相対的な輝度変化の程度は大きくなる。同様に、累積動作時間が長くなるほど、初期状態の輝度に対する相対的な輝度変化の程度は大きくなる。
【００５６】
従って、表示素子１１１における輝度変化の程度は、表示素子１１１が動作するときの映像信号ＶＤSigの階調値と、その動作時間の長さとによって左右される。映像信号ＶＤSigの階調値を変えて表示素子１１１を動作させたときの経時変化について、図４を参照して説明する。
【００５７】
図４は、映像信号の階調値を変えながら表示素子を動作させたときの、動作時間と経時変化による表示素子の相対的な輝度変化との関係を説明するための模式的なグラフである。
【００５８】
具体的には、図４に示すグラフは、初期状態の表示装置１を用いて、動作時間ＤＴ1の間は階調値５０、動作時間ＤＴ2の間は階調値１００、動作時間ＤＴ3の間は階調値２００、動作時間ＤＴ4の間は階調値３００、動作時間ＤＴ5の間は階調値４００、動作時間ＤＴ6の間は階調値５００の映像信号ＶＤSigに基づいて表示素子１１１を動作さたときのデータに基づいて、累積動作時間の長さを横軸の値とし、表示素子１１１における初期状態の輝度に対する経時変化後の輝度の比を縦軸の値としてプロットしたグラフである。
【００５９】
図４において、符号ＰＴ1，ＰＴ2，ＰＴ3，ＰＴ4，ＰＴ5，ＰＴ6は、その時点における累積動作時間の値を示す。時間ＰＴ6は、動作時間ＤＴ1乃至動作時間ＤＴ6の長さの総和となる。
【００６０】
図４において、時間ＰＴ1，ＰＴ2，ＰＴ3，ＰＴ4，ＰＴ5，ＰＴ6に対応する縦軸の値を、それぞれ、ＲＡ（ＰＴ1），ＲＡ（ＰＴ2），ＲＡ（ＰＴ3），ＲＡ（ＰＴ4），ＲＡ（ＰＴ5），ＲＡ（ＰＴ6）と表す。また、図７に示すグラフについて、時間０から時間ＰＴ1までの部分、時間ＰＴ1から時間ＰＴ2までの部分、時間ＰＴ2から時間ＰＴ3までの部分、時間ＰＴ3から時間ＰＴ4までの部分、時間ＰＴ4から時間ＰＴ5までの部分、時間ＰＴ5から時間ＰＴ6までの部分を、符号ＣＬ1，ＣＬ2，ＣＬ3，ＣＬ4，ＣＬ5，ＣＬ6で表す。図４に示すグラフは、図３に示すグラフの一部を適宜繋げたものとして説明することができる。
【００６１】
図５は、図４において符号ＣＬ1，ＣＬ2，ＣＬ3，ＣＬ4，ＣＬ5，ＣＬ6で表したグラフの部分と、図３に示すグラフとの対応関係を説明するための模式的な図である。
【００６２】
図５に示すように、図４の符号ＣＬ1で表すグラフの部分は、図３における階調値５０のグラフにおいて、縦軸が１からＲＡ（ＰＴ1）となるまでの部分に対応する。符号ＣＬ2で表すグラフの部分は、図３における階調値１００のグラフにおいて、縦軸がＲＡ（ＰＴ1）からＲＡ（ＰＴ2）となるまでの部分に対応する。符号ＣＬ3で表すグラフの部分は、図３における階調値２００のグラフにおいて、縦軸がＲＡ（ＰＴ2）からＲＡ（ＰＴ3）となるまでの部分に対応する。
【００６３】
同様に、図４の符号ＣＬ4で表すグラフの部分は、図３における階調値３００のグラフにおいて、縦軸がＲＡ（ＰＴ3）からＲＡ（ＰＴ4）となるまでの部分に対応する。符号ＣＬ5で表すグラフの部分は、図３における階調値４００のグラフにおいて、縦軸がＲＡ（ＰＴ4）からＲＡ（ＰＴ5）となるまでの部分に対応する。符号ＣＬ6で表すグラフの部分は、図３における階調値５００のグラフにおいて、縦軸がＲＡ（ＰＴ5）からＲＡ（ＰＴ6）となるまでの部分に対応する。
【００６４】
従って、表示素子１１１を駆動する際の階調値や駆動時間といったパラメータを、順次、図３示すグラフと対比することによって、表示素子１１１の発光効率の変化を求めることができる。
【００６５】
図１に示す劣化量算出部４０は、例えば、図４に示す符号ＣＬ1，ＣＬ2，ＣＬ3，ＣＬ4，ＣＬ5，ＣＬ6といった動作において、個別の特性変化量を算出する。そして、図１に示す劣化量蓄積部５０は、個別の特性変化量の総和を保持する。
【００６６】
次いで、表示装置１の動作について説明する。
【００６７】
図６Ａは、表示装置の表示領域の中央部と周囲部とを異なる階調で表示するテストパターンを表示した状態を模式的に示す図である。図６Ｂは、図６Ａに示す表示による焼き付きを補正するための補正信号に基づいて表示される画像を模式的に示す図である。図７は、表示領域の中央部に含まれるＡ点に対応する表示素子と、表示領域の周囲部に含まれるＢ点に対応する表示素子とにおける、発光特性の経時変化を説明するための模式的なグラフである。
【００６８】
図６Ｂに示すように、補正画像は表示領域１１０の全面に表示されるとして説明するが、これに限るものではない。例えば、表示領域１１０の所定の部分に限定して表示されるといった構成、特に、補正画像は劣化の程度の差が大きい表示領域１１０の部分に表示されるといった構成であってもよい。
【００６９】
ここでは、補正信号に基づく補正画像を表示する期間の長さは、所定の長さＴ0に固定されているとして説明する。期間の長さＴ0は、補正画像を表示することによって表示素子１１１の発光特性の変化を揃えるといった観点から、ある程度の長さに設定することが好ましい。焼き付きの程度にもよるが、例えば、数分〜数十分程度といった設定とすることもできるし、更に長い時間に設定することもできる。図１に示す補正値計算部６０は、期間の長さＴ0と、各表示素子における劣化量とに基づいて、補正画像を長さＴ0の間表示することによって表示素子１１１の発光特性の変化を揃えることができるように、補正信号ＶＣSigの値を決定する。
【００７０】
補正信号生成部は、各色毎に対応した補正信号を生成するといった構成であってもよいし、各色に共通する補正信号を生成する構成であってもよい。ここでは、補正信号ＶＣSigは、各表示素子毎に対応して生成されるとする。換言すれば、補正信号生成部は、各色毎に対応した補正信号を生成する。
【００７１】
表示部１０の動作期間は、通常画像表示期間、補正画像表示期間および非表示期間に大別することができる。通常画像表示期間は、図６Ａに示す画像を表示する期間、補正画像表示期間は、図６Ｂに示す画像を表示する期間である。非表示期間は、例えば、全面を黒表示とする期間であってもよいし、表示部１０の動作そのものを停止するといった期間であってもよい。
【００７２】
図７においては、第１の通常画像表示期間ＰＮ１、第１の補正画像表示期間ＰＣ１、第２の通常画像表示期間ＰＮ２、第２の補正画像表示期間ＰＣ２、第１の非表示期間ＰＤ１、第３の通常画像表示期間ＰＮ３といった動作を行う例を示している。
【００７３】
通常画像表示期間において、Ａ点およびＢ点は、それぞれ、異なる経時変化が進行する。具体的には、相対的に高い階調で表示をしているＡ点は、Ｂ点よりも経時変化がより進行する。
【００７４】
第１の通常画像表示期間ＰＮ１の後、第１の補正画像表示期間ＰＣ１が始まる。例えば、使用者が電子ビューファインダから離れたといった場合である。
【００７５】
第１の補正画像表示期間ＰＣ１の長さを符号Ｔ1で表す。ここでは、Ｔ1＜Ｔ0であるとする。具体的には、補正画像表示期間が終了するより前に、使用者が電子ビューファインダを覗いたといった場合である。
【００７６】
第１の補正画像表示期間ＰＣ１にあっては、Ｔ1＜Ｔ0であるため、表示素子１１１の発光特性の経時変化を揃えるより前に、第２の通常画像表示期間ＰＮ２が開始する。
【００７７】
第２の通常画像表示期間ＰＮ２にあっては、第１の補正画像表示期間ＰＣ１の終期における表示素子１１１の経時変化の差分が残った状態で、Ａ点およびＢ点において、それぞれ、異なる経時変化が進行する。
【００７８】
第２の通常画像表示期間ＰＮ２の後、第２の補正画像表示期間ＰＣ２が始まる。例えば、使用者が再び電子ビューファインダから離れたといった場合である。ここでは、使用者は充分長い間、電子ビューファインダから離れたとして説明する。
【００７９】
図１に示す補正値計算部６０は、第１の補正画像表示期間ＰＣ１の終期における表示素子１１１の経時変化の差分を踏まえて、補正画像を長さＴ0の間表示することによって表示素子１１１の発光特性の変化を揃えることができるように、補正信号ＶＣSigの値を決定する。
【００８０】
第２の補正画像表示期間ＰＣ２の長さを符号Ｔ2で表す。尚、Ｔ2＝Ｔ0であるとする。
【００８１】
第２の補正画像表示期間ＰＣ２では、補正画像を表示する時間が充分確保されているので、補正画像を表示することによって、Ａ点とＢ点の経時変化が揃えられる。
【００８２】
使用者が電子ビューファインダを覗いていないといった状態が継続している場合には、第２の補正画像表示期間ＰＣ２の後、非表示期間ＰＤ１が始まる。ここでは、例えば表示部１０の動作を停止するとする。従って、Ａ点とＢ点は経時変化せず、従前の状態を保つ。
【００８３】
その後、使用者が電子ビューファインダを覗くといった状態に遷移すると、第３の通常画像表示期間ＰＮ３が始まる。以下、従前に説明した動作が適宜繰り返される。
【００８４】
以上、図７を参照して、表示装置１の動作について説明した。尚、補正画像の表示準備などのため、通常画像表示期間の終期と補正画像表示期間の始期との間にブランクが生じてもよい。補正画像の表示準備とは、例えば、Ａ点とＢ点のそれぞれの劣化状態に応じた最適な補正画像を算出して表示するまでの動作のことである。
【００８５】
表示装置１は、低コストかつ低規模で、高い補正精度と高い信頼性を有する。また、通常映像表示期間においては映像信号をそのまま表示するため、表示装置の起動後迅速に通常映像を表示することができる。従って、高速起動を求められる電子機器に好適である。
【００８６】
上述した説明では、補正画像を表示する期間の長さは、所定の長さＴ0に固定されているとしたが、固定しない態様とすることもできる。例えば、補正信号に基づく補正画像を表示する期間の長さは、補正信号に基づく補正画像を表示する直前における映像信号に基づいて通常の画像を表示した期間の長さに基づいて設定されるといった構成とすることもできる。
【００８７】
ここでは、全画素の補正を完了するために必要な期間を「補正完了期間」と呼ぶ。上述したように、補正完了期間については、固定値とする設定と、固定値とせずに可変値とする設定とが考えられる。表示素子を構成する発光部が有機エレクトロルミネッセンス発光部からなる場合、発光部の劣化は、階調値が高いほど、また、表示フレームレートＦＲ（回／秒）の逆数で与えられる１フレーム期間において発光部が発光している期間が占める割合（以下、「発光デューティ」と呼ぶ）が大きくなるほど、加速される。換言すれば、発光部は、階調値が高くなるほど、また、発光デューティが大きくなるほど、相対的に短い時間で劣化が進行する。所定の基準階調値、且つ、所定の基準発光デューティで発光部を発光させたときの発光部の劣化を基準としたとき、異なる階調値で発光部を発光させるときの劣化時間の加速係数は、階調比のべき乗で与えられることが多く、非線形な値となる。これに対し、異なる発光デューティで発光部を発光させるときの劣化時間の加速係数は、ほぼ線形な値となる。図７に示す動作は、補正完了期間を固定値とする場合である。第一回目と第二回目の補正完了期間Ｔ0は同一値になるように、補正期間中の表示階調、発光デューティ、各画素の表示時間が考慮され、補正パターンが決められる。尚、各画素の発光期間において必ずしも発光が連続しておらず、パルス状に黒表示が挿入されるといった構成であってもよい。ここで、補正開始時の劣化量の差分の大小および劣化量絶対値によらず、補正完了期間Ｔ0を一定であるように設定するためには、劣化量の差分が大きく、劣化量の絶対値が小さいケースがワーストケースであるとして、補正完了期間Ｔ0を長めに設定する必要がある。そして、補正完了期間Ｔ0を長めにとったうえで、それに合わせるように、階調を下げたり、発光デューティを下げたり、表示パターンに黒表示を間欠的に挿入したりすることで、補正完了期間Ｔ0を固定とすることができる。一方、補正完了期間を固定値としない場合の例として、最速で補正完了させる場合について説明する。最速で補正を完了するためには、劣化が最も少ない画素の劣化の加速を最大化すればよいので、その画素の階調を最大、発光デューティを最大、表示パターンに黒表示を挿入しないように駆動すればよい。この場合、補正開始時の劣化量の差分や劣化量の絶対値などによって補正完了期間が変動し、固定値とならない。
【００８８】
本開示は、実使用上、オンスクリーンディスプレイ表示が重畳された画像を表示する際に、固定表示による焼き付きを補正するために用いられることが考えられる。このような表示を行う場合の画像の例を、図８ないし図１２を参照して説明する。
【００８９】
図８Ａは、オンスクリーンディスプレイ表示が重畳されたグラデーション画像の表示状態を示す模式図である。図８Ｂは、図８Ａに示す表示による焼き付きを補正するための補正信号に基づいて表示される画像を模式的に示す図である。
【００９０】
このように通常表示期間の表示階調が低いほど、補正期間の劣化を加速するために補正画像における表示階調が高くなるように設定される。
【００９１】
図９Ａは、オンスクリーンディスプレイ表示が重畳されたグレーラスター画像の表示状態を示す模式図である。図９Ｂは、図９Ａに示す表示による焼き付きを補正するための補正信号に基づいて表示される画像を模式的に示す図である。
【００９２】
このときの補正画像は、大部分の画素を高階調で発光させることになる。従って、この場合は補正期間における消費電力の上昇や、高輝度発光による視認の問題が生ずることも考えられる。この問題を解決するための例を図１０に示す。
【００９３】
図１０Ａは、オンスクリーンディスプレイ表示が重畳されたグレーラスター画像の表示状態を示す模式図である。図１０Ｂは、図１０Ａに示す表示による焼き付きを補正するための補正信号に基づいて表示される画像を模式的に示す図である。
【００９４】
オンスクリーンディスプレイ表示がされていないエリアと表示されているエリアに領域分割し、各領域の境界は、輝度差が視認されにくいようにグラデーションをかけた補正画像となっている。
【００９５】
補正画像の表示による消費電力をより低減する例を、図１１を参照して説明する。
【００９６】
図１１Ａは、オンスクリーンディスプレイ表示が重畳されたグレーラスター画像の表示状態を示す模式図である。図１１Ｂは、図１１Ａに示す表示による焼き付きを補正するための補正信号に基づいて表示される画像を模式的に示す図である。
【００９７】
この例にあっては、オンスクリーンディスプレイ表示の境界周辺のみ高階調の表示を行う。焼き付きとして視認されやすい高周波成分に限定して補正を行うことで、高輝度発光させる面積を縮小させることができ、補正画像表示期間における消費電力を低減させることができる。
【００９８】
図１２Ａは、黒帯に白色のオンスクリーンディスプレイ表示が重畳されたグレーラスター画像の表示状態を示す模式図である。図１２Ｂは、図１２Ａに示す表示による焼き付きを補正するための補正信号に基づいて表示される画像を模式的に示す図である。
【００９９】
この例は、通常表示時のオンスクリーンディスプレイ表示が黒帯に白色である場合を示す。この場合は、上記のようなグラデーション状の補正パターンを用いなくても、高輝度発光する面積は限定され、補正画像表示期間における消費電力を低減させることができる。
【０１００】
次いで、第１の変形例について説明する。
【０１０１】
図１３は、第１の変形例に係る表示装置の概念図である。
【０１０２】
図１３に示す例では、補正値計算部６０の後に、更に、補正値反映部７０が追加されている。そして、補正値反映部７０には、例えば、スクリーンセーバーとして用意された動画信号が供給される。補正値反映部７０は、スクリーンセーバーとして用意された動画信号が重畳された補正信号を生成する。
【０１０３】
この構成によれば、補正画像は動画として表示される。従って、補正画像の表示による違和感を低減することができる。尚、動画信号は、表示素子全体を均一に経時変化させるような画像としておくことが好ましい。
【０１０４】
次いで、第２の変形例について説明する。
【０１０５】
図１４は、第２の変形例に係る表示装置の概念図である。
【０１０６】
図１を参照して説明した第１の実施形態では、表示素子の発光特性の変化を揃えることができるが、表示装置の使用時間が長くなればなるほど、表示される画像の輝度は低下する。
【０１０７】
この点に鑑み、第２の変形例では、表示される画像の輝度の低下を補償するように、映像信号ＶＤSigの階調値を変化させる。具体的には、図１の構成に対して、補償値計算部８０と補償値反映部９０が追加されている。補償値計算部８０は、劣化量蓄積部５０の値に基づいて、各表示素子に対応する映像信号の階調値をどれだけ変化させればよいかを求める。そして、補償値反映部９０は、入力される映像信号ＶＤSigに所定の係数等を反映することによって、表示される画像の輝度の低下を補償する。
【０１０８】
尚、映像信号ＶＤSigはそのままにして、表示される画像の輝度の低下を補償することもできる。
【０１０９】
図１５は、表示部の変形例の構成を説明するための模式図である。
【０１１０】
図１５に示す表示素子１１１は、図２で示す構成に対して、駆動トランジスタのソース／ドレイン間の電圧を初期化する初期化トランジスタＴＲA1，ＴＲA2、更には、駆動トランジスタＴＲDと電源Ｖccとの間に配置された発光制御トランジスタＴＲA3が追加されている。
【０１１１】
図１５に示す構成にあっては、１フレーム期間において発光部ＥＬＰが発光する期間の占める割合を、発光制御トランジスタＴＲA3を導通状態とする期間を変えることによって制御することができる。即ち、発光制御トランジスタＴＲA3を導通状態とする期間を長くすれば、発光部ＥＬＰの輝度は高くなり、発光制御トランジスタＴＲA3を導通状態とする期間を短くすれば、発光部ＥＬＰの輝度は低くなる。
【０１１２】
従って、表示装置の使用時間が長くなるほど発光制御トランジスタＴＲA3を導通状態とする期間を長くするように制御すれば、表示される画像の輝度の低下を補償することができる。
【０１１３】
以上、本開示の実施形態について具体的に説明したが、本開示は、上述の実施形態に限定されるものではなく、本開示の技術的思想に基づく各種の変形が可能である。例えば、上述の実施形態において挙げた数値、構造、基板、原料、工程などはあくまでも例に過ぎず、必要に応じて、これらと異なる数値、構造、基板、原料、工程などを用いてもよい。
【０１１４】
なお、本開示の技術は以下のような構成も取ることができる。
［１］
電流駆動型の発光部を有する表示素子が２次元マトリクス状に配列されて成る表示領域を有し映像信号に基づいて表示領域に画像を表示する表示部、及び、
表示素子毎または表示部における所定の領域毎の映像信号の値と表示素子の輝度の経時変化特性とに基づいて経時変化の小さい表示素子に対しては経時変化を加速させ経時変化の大きい表示素子に対しては経時変化を減速または停止するような補正信号を生成する補正信号生成部、
を備えており、
映像信号に基づいて通常の画像を表示した後の表示装置の非使用時において補正信号に基づく補正画像を表示することによって各表示素子の経時変化の程度を揃える動作を行う表示装置。
［２］
補正信号に基づく補正画像を表示する期間の長さは、所定の長さに固定されている上記［１］に記載の表示装置。
［３］
補正信号に基づく補正画像を表示する期間の長さは、補正信号に基づく補正画像を表示する直前における映像信号に基づいて通常の画像を表示した期間の長さに基づいて設定される上記［１］に記載の表示装置。
［４］
表示領域には異なる色で発光する表示素子から成る組が２次元マトリクス状に配列されており、補正信号生成部は各色毎に対応した補正信号を生成する上記［１］ないし［３］のいずれかに記載の表示装置。
［５］
表示領域には異なる色で発光する表示素子から成る組が２次元マトリクス状に配列されており、補正信号生成部は各色に共通する補正信号を生成する上記［１］ないし［３］のいずれかに記載の表示装置。
［６］
補正画像は表示領域の全面に表示される上記［１］ないし［５］のいずれかに記載の表示装置。
［７］
補正画像は表示領域の所定の部分に限定して表示される上記［１］ないし［５］のいずれかに記載の表示装置。
［８］
補正画像は劣化の程度の差が大きい表示領域の部分に表示される上記［７］に記載の表示装置。
［９］
補正画像は静止画または動画として表示される上記［１］ないし［８］のいずれかに記載の表示装置。
［１０］
電流駆動型の発光部を有する表示素子が２次元マトリクス状に配列されて成る表示領域を有し映像信号に基づいて表示領域に画像を表示する表示部、及び、
表示素子毎または表示部における所定の領域毎の映像信号の値と表示素子の輝度の経時変化特性とに基づいて経時変化の小さい表示素子に対しては経時変化を加速させ経時変化の大きい表示素子に対しては経時変化を減速または停止するような補正信号を生成する補正信号生成部、
を備えた表示装置を用いて、
映像信号に基づいて通常の画像を表示した後の表示装置の非使用時において補正信号に基づく補正画像を表示することによって各表示素子の経時変化の程度を揃える動作を行う表示装置の駆動方法。
【符号の説明】
【０１１５】
１，２・・・表示装置、１０・・・表示部、２０・・・センサ部、３０・・・切替制御部、４０・・・劣化量算出部、５０・・・劣化量蓄積部、６０・・・補正値計算部、７０・・・補正値反映部、８０・・・補償値計算部、９０・・・補償値反映部、１１０・・・表示領域、１１１・・・表示素子、１１２・・・走査部、１１３・・・データドライバ、１１４・・・電源部、ＴＲW・・・書込みトランジスタ、ＴＲD・・・駆動トランジスタ、Ｃ1・・・容量部、ＥＬＰ・・・有機エレクトロルミネッセンス発光部、ＣEL・・・発光部ＥＬＰの容量、ＴＲA1，ＴＲA2・・・初期化トランジスタ、ＴＲA3・・・発光制御トランジスタ、ＷＳＬ・・・走査線、ＤＴＬ・・・データ線、ＤＳＬ・・・給電線
【図１】
2014240913.tif 000003
【図２】
2014240913.tif 000004
【図３】
2014240913.tif 000005
【図４】
2014240913.tif 000006
【図５】
2014240913.tif 000007
【図７】
2014240913.tif 000008
【図１３】
2014240913.tif 000009
【図１４】
2014240913.tif 000010
【図１５】
2014240913.tif 000011
【図６】
2014240913.tif 000012
【図８】
2014240913.tif 000013
【図９】
2014240913.tif 000014
【図１０】
2014240913.tif 000015
【図１１】
2014240913.tif 000016
【図１２】
2014240913.tif 000017